(57)【要約】  【課題】  ストラップ取付ピン構造に関して、部品数が少なく、スペースの有効活用が可能であり、簡単な構成でもってストラップの抜けを防止できる電子機器を提供する。  【解決手段】  電子機器１は、ケース１１、１３と、ケース両側から取り付けられた弾性成形材の保護緩衝カバーである上部カバー３１および下部カバー３３を備えている。上部カバー３１は、ケース１１、１３に通されて上部カバー３１に締め付けられる上部カバー固定ねじ３５によってケース１１、１３に固定されている。上部カバー固定ねじ３５が、ストラップ取付ピン部であるねじ胴部７３を有している。ケース１１、１３が、ねじ胴部７３を露出させる形状を有している。下部カバー３３が、上部カバー固定ねじ３５の軸線上にねじ頭部７１に近接するねじ緩み防止部であるリブ８１を有している。【選択図】  図１
2006339603.tif 000002
【特許請求の範囲】
【請求項１】
ケースと、前記ケースの外側に両側から取り付けられた弾性成形材の第１および第２の保護緩衝カバーとを備え、前記第１の保護緩衝カバーは、前記ケースに通されて前記第１の保護緩衝カバーに締め付けられた第１カバー固定ねじによって前記ケースに固定されており、前記第１カバー固定ねじが、ストラップを取り付けるストラップ取付ピン部を有しており、前記ケースが、前記ストラップ取付ピン部を露出させる形状を有しており、前記第２の保護緩衝カバーが、前記第１カバー固定ねじの軸線上にねじ頭部に近接するねじ緩み防止部を有していることを特徴とする電子機器。
【請求項２】
前記ケースの座ぐり部に設けられた穴に前記第１カバー固定ねじが通されており、前記ねじ緩み防止部は、前記座ぐり部に臨むように前記第２の保護カバーの内面から突出した凸部であることを特徴とする請求項１に記載の電子機器。
【請求項３】
前記ねじ緩み防止部が前記第１カバー固定ねじの前記ねじ頭部に接触し、ねじ頭部を押圧していることを特徴とする請求項１または２に記載の電子機器。
【発明の詳細な説明】
【技術分野】
【０００１】
本発明は、ストラップが取り付けられる電子機器に関し、特に、ストラップ取付部の構造の改良に関する。
【背景技術】
【０００２】
従来、携帯型の電子機器の持運びを容易にするためにストラップ（吊り紐）が用いられる。ストラップは、機器ケースに備えられたストラップ取付ピンに取り付けられる。従来一般には、ストラップ取付ピンは、ケースの窪みに設けられた柱であり、一体成型によって樹脂ケースに作られる。しかし、この場合、ストラップ取付ピンがアンダーカット形状を有するために、金型構造が複雑であり、製造コストが嵩んでしまう。そこで、下記のように、アンダーカット用の金型を用いないストラップ取付ピン構造が提案されている。
【０００３】
図４は、従来のストラップ取付ピン構造の例を示している。ここでは、保護緩衝カバーを備えた携帯電子機器を例として取り上げる。図４では、ケース１０１が、上部ケース１０３と下部ケース１０５で構成されている。ケース１０１の外側に上部保護緩衝カバー１０７がねじ１０９で取り付けられている。図示されないが、ケース１０１の反対側には下部保護緩衝カバーが取り付けられている。
【０００４】
ストラップ取付ピン構造としては、ストラップ取付ピン１１１がねじ１０９の隣に配置されて、上部ケース１０３と下部ケース１０５の間に挟まれている。ストラップ取付ピン１１１の両端は、上部ケース１０３および下部ケース１０５の穴に嵌っている。そして、上部ケース１０３にザグリ１１３が設けられていて、これによりストラップ取付ピン１１１がケース外に露出している。
【０００５】
また、別の従来技術は、上下ケースを締結するねじとストラップ取付ピンとを兼用する。この場合、ねじ胴部が上下ケースの隙間で露出し、露出部分がストラップ取付ピンとして機能する。このようなピン構造は、例えば特許文献１に開示されている。
【特許文献１】特開平１０−２６２１０４号公報（第３ページ、図１）
【発明の開示】
【発明が解決しようとする課題】
【０００６】
しかしながら、図４に示される従来の電子機器においては、ストラップ取付ピン１１１がケース１０１と別に必要になり、その組立作業も必要になり、コストも高くなるという問題がある。また、ストラップ取付ピン１１１を保持するためのスペースが必要となり、ケース内の空間の一部が使用できなくなるというスペース面の問題もある。ねじをストラップ取付ピンとして兼用する構成は、部品数が少なく、ストラップ取付ピンのためのスペースも小さくてすむ。しかしながら、ストラップがねじと擦れ合い、緩み方向のトルクがねじに加わる。電子機器を使用し続けるうちに、ねじとストラップの摺動が繰り返されて、ねじが緩んでしまい、ストラップが抜けてしまう可能性がある。
【０００７】
本発明は、従来の問題を解決するためになされたもので、その目的は、部品数が少なく、スペースの有効活用が可能であり、さらに簡単な構成でもってストラップの抜けを防止できる電子機器を提供することにある。
【課題を解決するための手段】
【０００８】
本発明の電子機器は、ケースと、前記ケースの外側に両側から取り付けられた弾性成形材の第１および第２の保護緩衝カバーとを備え、前記第１の保護緩衝カバーは、前記ケースに通されて前記第１の保護緩衝カバーに締め付けられた第１カバー固定ねじによって前記ケースに固定されており、前記第１カバー固定ねじが、ストラップを取り付けるストラップ取付ピン部を有しており、前記ケースが、前記ストラップ取付ピン部を露出させる形状を有しており、前記第２の保護緩衝カバーが、前記第１カバー固定ねじの軸線上にねじ頭部に近接するねじ緩み防止部を有している。
【０００９】
この構成により、第１の保護緩衝カバーを固定する第１カバー固定ねじにストラップ取付ピン部を設けたので、専用のストラップ取付ピンが不要になり、部品点数が少なくてすみ、ストラップ取付ピンのためのスペースも小さくできる。さらに、第２の保護緩衝カバーにねじ緩み防止部を設けており、このねじ緩み防止部が第１カバー固定ねじの軸線上にてねじ頭部に近接し、これにより第１カバー固定ねじの緩みを防止できる。このようにして、部品数が少なく、ケース内のスペースを有効活用でき、さらにストラップの抜けを防止できる電子機器を提供できる。しかも、第２の保護緩衝カバーが第１の保護緩衝カバーと反対側に取り付けられることに着目して第２の保護緩衝カバーにねじ緩み防止部を設けている。緩み止め部材を別に設けたり、緩み止めのための特別な処理を施さなくても、ねじの緩みを防止できる。したがって、簡単な構成でもって、ピン兼用ねじの緩みを防止し、ストラップの抜けを防止できる。
【００１０】
なお、本発明において、ねじ緩み防止部はねじ頭部に近接していればよい。ここでいう近接とは、ねじ頭部の近傍にねじ緩み防止がある場合と、ねじ頭部とねじ緩み防止部が接触する場合とを含む。前者の場合、ねじ頭部とねじ緩み防止部の間に正常時に隙間があってよい。この場合でも、ねじの緩みによる脱落は防止され、ストラップの抜けも防止される。
【００１１】
また、本発明の電子機器では、前記ケースの座ぐり部に設けられた穴に前記第１カバー固定ねじが通されており、前記ねじ緩み防止部は、前記座ぐり部に臨むように前記第２の保護カバーの内面から突出した凸部である。この構成により、ケースの座ぐり部に第１カバー固定ねじを締め付ける構成でも効果的にねじ緩みを防止できる。
【００１２】
また、本発明の電子機器では、前記ねじ緩み防止部が前記第１カバー固定ねじの前記ねじ頭部に接触し、ねじ頭部を押圧している。この構成により、ねじ緩み防止部がねじ頭部に接することで、より確実にねじ緩みを防止できる。
【発明の効果】
【００１３】
本発明は、第１の保護緩衝カバーを固定する第１カバー固定ねじにストラップ取付ピン部を設け、第２の保護緩衝カバーにねじ緩み防止部を設けたことにより、部品数が少なく、スペースの有効活用が可能であり、さらに簡単な構成でもってストラップの抜けを防止できるという効果を有する電子機器を提供できる。
【発明を実施するための最良の形態】
【００１４】
以下、本発明の実施の形態に係る電子機器について、図面を用いて説明する。電子機器は例えば宅配便の作業者に使用される携帯端末である。しかし、本発明はこれに限定されない。電子機器が携帯電話でもよい。
【００１５】
本発明の実施の形態に係る電子機器を図１〜図３に示す。図１は、電子機器１におけるストラップ取付構造の断面図であり、図２および図３は、電子機器１の全体構成の斜視図および分解図である。まず、図２および図３を参照して全体構成を概略的に説明し、それから、図１を参照してストラップ取付構造の詳細を説明する。
【００１６】
図２に示すように、電子機器１は、略直方体のケース３と、ケース３の頭部を覆う保護緩衝カバー５とを備え、また、ストラップ取付構造７が電子機器１の頭部付近に備えられている。
【００１７】
図３に示すように、ケース３は、上部ケース１１と下部ケース１３からなる分割構造を有している。図３では、上部ケース１１が下方に示されている。上部ケース１１と下部ケース１３は６本のねじ１５で互いに固定される。６本のねじ１５はケース外周に沿って適当な間隔を開けて配置されている。
【００１８】
ケース３には、プリント基板１７および光学読取部１９が収容されている。光学読取部１９は、下部ケース１３の読取開口窓２１を通してバーコード等の読取対象を読み取り可能に配置される。また、ケース３には電池カバー２３が取り付けられており、電池カバー３の下は電池収納部である。その他、ケース３には、電源、表示器、操作部材等の各種部品が備えられている。
【００１９】
保護緩衝カバー５は、キャップのような形を有しており、ケース３の頭部を覆っている。ここで、頭部は、作業者が電子機器１を手で持ったときの先端側である。保護緩衝カバー５は、弾性成型材（エラストマー材、エラストマー樹脂）で構成されており、機器頭部に加わる衝撃から電子機器１を保護する。保護緩衝カバー５は、上部カバー３１と下部カバー３３とに分かれている。上部カバー３１と下部カバー３３はケース３を挟んで反対側にある。上部カバー３１が上部ケース１１の外側に配置され、下部カバー３３が下部ケース１３の外側に配置されている。
【００２０】
上部カバー３１は、上部カバー固定ねじ３５によってケース３に取り付けられている。上部カバー固定ねじ３５は、ケース３の下ケース１３および上ケース１１に通されて、上部カバー３１に設けられたねじ穴３７に締め付けられている。上部カバー３１は、頭部の両端の２カ所で上部ケース１１に固定されている。
【００２１】
また、下部カバー３３は、下部カバー固定ねじ４１によってケース３の下ケース１３に取り付けられている。下部カバー固定ねじ４１は、下部カバー３３に外から通されて、下部ケース１３のねじ穴４３に締め付けられている。下部カバー３３は、両側の２カ所で下部ケース１３に固定されている。
【００２２】
以上に電子機器１の全体構成を説明した。本実施の形態では、上部カバー３１が第１の保護緩衝カバーに相当し、下部カバー３１が第２の保護緩衝カバーに相当し、上部カバー固定ねじ３５が第１カバー固定ねじに相当している。
【００２３】
次に、本実施の形態のストラップ取付ピン構造７について説明する。本実施の形態では、機器頭部の両側の縁に、同様の構成のストラップ取付ピン構造７が備えられている。以下の説明では、片方のストラップ取付ピン構造７について説明する。下記のように、本実施の形態では、上部カバー固定ねじ３５が、ストラップ取付ピンとして兼用される。
【００２４】
図３において、下部カバー３３の頭側の隅部では、ケース外側に座ぐり部５１（凹部）が設けられ、合せ面側に座ぐり部５３（凹部）が設けられている。そして、座ぐり部５１、５３を仕切るように壁部５５が横方向に突出している。また、上部カバー３１の頭側の隅部では、座ぐり部５７（凹部）がケース外側に設けられており、合わせ面側で壁部５９が横方向に突出している。上カバー固定ねじ３５は、壁部５５の穴６１に通され、さらに壁部５９の穴６３に通されて、上部カバー３１のねじ穴３７に締め付けられている。
【００２５】
図１は、図２の線Ａ−Ａで電子機器１を切断した断面図である。上部カバー固定ねじ３５は段付きねじであり、ねじ頭部７１と、その下のねじ胴部７３（段付き部）と、胴部７３の先のおねじ部７５とで構成されており、ねじ胴部７３が下記のようにストラップ取付ピン部に相当する。
【００２６】
ねじ胴部７３は、円柱形状を有しており、下部ケース１３の壁部５５の穴６１を通り、さらに、上部ケース１１の壁部５９の穴６３に入っている。そして、おねじ部７５が、上部ケース３１に鋳込まれたナット７７のめねじ穴３７に締め付けられている。ねじ胴部７３は、壁部５５、５９の間でケース３から露出しており、ケース３の側面から離れている。この露出部分が、ストラップ取付ピン部として機能する。
【００２７】
図１では、上部カバー固定ねじ３５の首下長のうち、Ｌ１がねじ胴部７３の長さであり、Ｌ２がおねじ部７５の長さである。そして、Ｌ３が下部ケース１３の壁部５５の肉厚であり、Ｌ５が上部ケース１１の壁部５９の肉厚である。そして、Ｌ４がストラップ取付ピン部の長さであり、Ｌ４＝Ｌ１−（Ｌ３＋Ｌ５）である。ピン長さＬ４は、下部ケース１３の座ぐり部５３の深さに相当する。
【００２８】
また、図１に示すように、下部カバー３３は、下部ケース１３の壁部５５の場所で終わっており、下部カバー３３と上部カバー３１の間に隙間７９が形成されている。これにより、図１に示されるように、保護緩衝カバー５にも逃げ部が形成され、ねじ胴部７３（すなわちストラップ取付ピン部）が機器外に露出できる。
【００２９】
また、図１に示すように、下部カバー３３は、さらに、リブ８１を備えている。リブ８１は、下部カバー３３に一体成形された板状の部分である。図１では、リブ８１の板の面が見えている。リブ８１は、下部カバー３３の内面から突出しており、下部ケース１３の座ぐり部５１内に臨んでいる。そして、リブ８１は、上部カバー固定ねじ３５の軸線上に位置しており、ねじ頭部７１に近接している。リブ８１は、本発明のねじ緩み防止部の一例に相当する。本実施の形態では、リブ８１の端部がねじ頭部７１の近傍にあり、リブ８１とねじ頭部７１の間に隙間がある。
【００３０】
以上に本実施の形態の電子機器１の構成を説明した。次に、ストラップ取付ピン構造に着目して、電子機器１の組立作業を説明する。ここでは、上部ケース１１と下部ケース１３が既に組み合わされて、ケース３が組み立てられているとする。プリント基板１７、光学読取り部１９および他の部品もケース３に組み付けられているとする。
【００３１】
この状態で、ケース１の上部ケース１１の外側に上部カバー３１が嵌められる。そして、上部カバー固定ねじ３５が、下部ケース１３および上部ケース１１に通されて、上部カバー３１に締め付けられる。このとき、上部カバー固定ねじ３５のねじ胴部７３が露出し、ストラップ取付ピン部が形成される。
【００３２】
さらに、下部ケース１３の外側に下部カバー３３が嵌められ、下部カバー３３が下部カバー固定ねじ４１で下部ケース１３に取り付けられる。このとき、下部カバー３３の内面のリブ８１が、下部ケース１３の座ぐり部５１に入り込み、上部カバー固定ねじ３５の軸線上に位置し、ねじ頭部７１に近接する。
【００３３】
次に、本実施の形態のストラップ抜け防止機能について説明する。電子機器１は、ストラップによってつり下げられた状態で運ばれる。ストラップは、上部カバー固定ねじ３５のねじ胴部７３（ストラップ取付ピン部）に取り付けられている。ストラップとねじ胴部７３が緩み方向に擦れ合うと、緩み方向のトルクが上部カバー固定ねじ３５に加わる。そして、電子機器１を使用し続けるうちに、ストラップとねじ胴部７３との摺動が繰り返されて、上部カバー固定ねじ３５が緩んでしまう可能性がある。
【００３４】
しかし、本実施の形態では、下部カバー３３のリブ８１が上部カバー固定ねじ３５のねじ頭部７１に近接している。これにより、仮に上部カバー固定ねじ３５が緩んだとしても、ねじ頭部７１がリブ８１に当たり、緩みの進行を阻止することができ、ストラップの抜けを防止できる。また、上部カバー固定ねじ３５の脱落とそれによる上部カバー３１の外れも防止できる。
【００３５】
なお、本実施の形態では、リブ８１がねじ緩み防止部に相当している。しかし、ねじ緩み防止部は、リブでなくてもよい。ねじ緩み防止部は別の形状を有していてもよい。ねじ緩み防止部は、下部カバー３３の型抜き方向の突起形状であることが好ましく、これにより低コストでねじ緩み防止部を実現できる。
【００３６】
また、本実施の形態では、ねじ緩み防止部（リブ）がねじ頭部と近接している。この点に関し、上記構成例では、ねじ緩み防止部とねじ頭部に隙間がある。しかし、ここでいう近接とは、ねじ緩み防止部とねじ頭部に正常時に隙間がない場合、すなわち、ねじ緩み防止部とねじ頭部が正常時に接触する場合を含む。この場合、ねじ緩み防止部を備えたカバーが弾性成型材であることを利用して、ねじ頭部がねじ緩み防止部に弾性力で押圧されてもよい。この押圧状態が得られるように、ねじ緩み防止部の形状（突出高さ）が設定される。これにより、ねじ緩みをより確実に防止できる。
【００３７】
以上に本発明の実施の形態に係る電子機器１について説明した。本実施の形態では、上部カバー３１が第１の保護緩衝カバーに相当し、下部カバー３３が第２の保護緩衝カバー３３に相当し、上部カバー固定ねじ３５が第１カバー固定ねじに相当し、下部カバー３３のリブ８１がねじ緩み防止部に相当する。本実施の形態では、第１の保護緩衝カバーを固定する第１カバー固定ねじにストラップ取付ピン部を設けたので、専用のストラップ取付ピンが不要であり、部品点数が少なく、ストラップ取付ピンのためのスペースも小さくてすむ。さらに、第２の保護緩衝カバーにねじ緩み防止部を設けており、このねじ緩み防止部が第１カバー固定ねじの軸線上にてねじ頭部に近接し、これにより第１カバー固定ねじの緩みを防止できる。
【００３８】
このようにして、部品数が少なく、ケース内のスペースを有効活用でき、さらにストラップの抜けを防止できる電子機器を提供できる。
【００３９】
しかも、第２の保護緩衝カバーが第１の保護緩衝カバーと反対側に取り付けられることに着目して第２の保護緩衝カバーにねじ緩み防止部を設けている。これにより、緩み止め部材を別に設けたり、緩み止めのための特別な処理を施さなくてもねじの緩みを防止できる。したがって、簡単な構成でもって、ピン兼用ねじの緩みを防止し、ストラップの抜けを防止できる。
【００４０】
また、本実施の形態では、第２の保護カバーのねじ緩み防止部が、カバー内面から突出した凸部であり、ケースの座ぐり部に臨んでいる。この構成により、座ぐり部の底部に第１カバー固定ねじの頭部がある場合でもねじ緩みを効果的に防止できる。
【００４１】
また、本実施の形態では、ねじ緩み防止部が第１カバー固定ねじのねじ頭部に接触してよく、ねじ頭部を押圧してよい。この構成により、ねじ緩みをより確実に防止できる。
【００４２】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００４３】
以上のように、本発明にかかる電子機器は、部品数が少なく、スペースの有効活用が可能であり、さらに簡単な構成でもってストラップの抜けを防止できるという効果を有し、携帯型電子機器等として有用である。
【図面の簡単な説明】
【００４４】
【図１】本発明の実施の形態に係る電子機器の要部の断面図
【図２】本発明の実施の形態に係る電子機器の斜視図
【図３】本発明の実施の形態に係る電子機器の分解斜視図
【図４】従来の電子機器を示す図
【符号の説明】
【００４５】
１  電子機器
３  ケース
５  保護緩衝カバー
７  ストラップ取付構造
１１  上部ケース
１３  下部ケース
３１  上部カバー
３３  下部カバー
３５  上部カバー固定ねじ
７１  ねじ頭部
７３  ねじ胴部
７５  おねじ部
８１  リブ
【図１】
2006339603.tif 000003
【図２】
2006339603.tif 000004
【図３】
2006339603.tif 000005
【図４】
2006339603.tif 000006